(57)【要約】  写真撮影テンプレートデータベースを作成する装置及び方法が開示される。方法は、画像を取得することと、画像が少なくとも１つの適格ファクタを満たすか否かを判断することとを含み得る。方法は、画像を写真撮影テンプレートとして記憶することと、説明情報を特定することとを含むこともできる。方法は、説明情報を記憶することと、写真撮影テンプレートに説明情報を関連付けることとを含むこともできる。加えて、写真撮影推奨情報を提供する装置及び方法が開示される。方法は、物体の説明情報を取得することと、写真撮影推奨要求をサーバに送信することとを含み得る。要求は、説明情報を含み得る。方法は、写真撮影テンプレートをサーバから受信することと、受信した写真撮影テンプレートに基づいて写真撮影推奨情報を提供することとを含むこともできる。
2017533606.tif 000002
【特許請求の範囲】
【請求項１】
プロセッサデバイスにより実施される、写真撮影テンプレートデータベースを作成する方法であって、
事前設定される初期条件に基づいて画像を取得することと、
前記プロセッサデバイスにより、前記画像が少なくとも１つの適格ファクタを満たすか否かを判断することと、
前記画像が少なくとも１つの適格ファクタを満たすと判断される場合、前記画像を写真撮影テンプレートとして前記写真撮影テンプレートデータベースに記憶することと、
前記プロセッサデバイスにより、前記画像から取得される情報に基づいて説明情報を特定することと、
前記説明情報を前記写真撮影テンプレートデータベースに記憶することと、
前記写真撮影テンプレートに前記説明情報を関連付けることと
を含む、方法。
【請求項２】
前記事前設定される初期条件に基づいて前記画像を取得することは、前記画像が人物又は人物のボディパーツの形象を含む場合、前記画像を取得することを含む、請求項１に記載の方法。
【請求項３】
前記少なくとも１つの適格ファクタは、
画像背景、
前記形象の画像輪郭、
前記画像での前記形象の位置、
前記画像に対する前記形象のスケール、又は
前記画像が写真撮影テンプレートとして適格であることを示すマークを前記画像が含むか否か
のうちの少なくとも１つの評価を含む、請求項２に記載の方法。
【請求項４】
前記画像は、商品物体の形象を含み、前記説明情報を特定することは、
前記商品物体の前記形象に関連付けられた情報を取得することと、
前記商品物体の前記形象に関連付けられた前記取得された情報に基づいて前記説明情報を特定することと
を含む、請求項１に記載の方法。
【請求項５】
前記説明情報は、
前記商品物体の識別情報、
前記商品物体のカテゴリ情報、又は
前記商品物体の販売者の識別情報
のうちの少なくとも１つを含む、請求項４に記載の方法。
【請求項６】
前記説明情報を特定することは、
前記人物又は前記ボディパーツの前記形象に関連付けられた情報を取得することと、
前記人物又は前記ボディパーツの前記形象に関連付けられた前記取得された情報に基づいて前記説明情報を特定することと
を含む、請求項２に記載の方法。
【請求項７】
前記写真撮影テンプレートは、人物の形象を含み、及び前記方法は、
前記写真撮影テンプレート内の前記人物の前記形象の外形曲線を識別することと、
前記写真撮影テンプレート内の前記外形曲線の位置情報を特定することと、
前記外形曲線の前記位置情報を前記写真撮影テンプレートデータベースに記憶することと
を含む、請求項１に記載の方法。
【請求項８】
プロセッサデバイスにより実施される、写真撮影推奨情報を提供する方法であって、
写真撮影デバイスにより捕捉される物体の説明情報を取得することと、
複数の写真撮影テンプレートを記憶するサーバに写真撮影推奨要求を送信することであって、前記要求は前記説明情報を含む、送信することと、
写真撮影テンプレートを前記サーバから受信することであって、前記写真撮影テンプレートには、前記写真撮影テンプレートに含まれる１つ又は複数の形象の説明情報が関連付けられ、前記写真撮影テンプレートに関連付けられた前記説明情報は、少なくとも部分的に、前記捕捉される物体の前記説明情報に一致する、受信することと、
前記プロセッサデバイスにより、前記受信した写真撮影テンプレートに基づいて写真撮影推奨情報を提供することと
を含む、方法。
【請求項９】
前記写真撮影テンプレート内の少なくとも１つの形象の外形曲線の位置情報を受信することと、
前記写真撮影デバイスをアクティブ化して、ライブ画像を捕捉することと、
前記ライブ画像をインタフェースに表示することと、
前記受信した位置情報に基づき、前記ライブ画像に重ねられた推奨外形曲線を表示することと
を含む、請求項８に記載の方法。
【請求項１０】
前記物体は商品物体であり、及び前記方法は、
前記商品物体の購入者から、前記商品物体の写真を撮影する要求を受信することと、
前記商品物体の前記説明情報を取得することと
を含む、請求項８に記載の方法。
【請求項１１】
前記商品物体の購入注文に関連付けられたインタフェースにおいて、前記購入者による写真提出用の第１のポータルを提供することと、
前記第１のポータルを通して、前記商品物体の前記写真を撮影する前記要求を前記購入者から受信することと
を含む、請求項１０に記載の方法。
【請求項１２】
前記購入注文から、前記商品物体の前記説明情報を取得することを含む、請求項１１に記載の方法。
【請求項１３】
前記商品物体の写真及び前記購入注文の識別情報を前記サーバに送信することを含む、請求項１１に記載の方法。
【請求項１４】
前記物体は商品物体であり、及び前記方法は、
前記商品物体の販売者から、前記商品物体の写真を撮影する要求を受信することと、
前記商品物体の前記説明情報を取得することと
を含む、請求項８に記載の方法。
【請求項１５】
前記商品物体は、リリースされる製品であり、及び前記方法は、
前記商品物体に関連付けられた情報リリースインタフェースにおいて、前記販売者による写真提出用の第２のポータルを提供することと、
前記第２のポータルを通して、前記商品物体の前記写真を撮影する前記要求を前記販売者から受信することと
を含む、請求項１４に記載の方法。
【請求項１６】
前記情報リリースインタフェース内のデータに基づいて前記商品物体の前記説明情報を取得することを含む、請求項１５に記載の方法。
【請求項１７】
前記商品物体はリリースされた製品であり、及び前記方法は、
前記商品物体に関連付けられた情報編集インタフェースにおいて、前記販売者による写真提出用の第３のポータルを提供することと、
前記第３のポータルを通して、前記商品物体の前記写真を撮影する前記要求を前記販売者から受信することと
を含む、請求項１４に記載の方法。
【請求項１８】
前記サーバから、前記商品物体の前記説明情報を取得することを含む、請求項１７に記載の方法。
【請求項１９】
前記商品物体の写真及び前記商品物体の識別情報を前記サーバに送信することを含む、請求項１４に記載の方法。
【請求項２０】
写真撮影推奨情報を提供する装置であって、
写真撮影テンプレートデータベースを記憶するメモリデバイスであって、写真撮影テンプレートは、複数の写真撮影テンプレートを記憶し、各写真撮影テンプレートには、前記写真撮影テンプレートに含まれる１つ又は複数の形象の説明情報が関連付けられる、メモリデバイスと、
前記メモリデバイスに通信可能に結合されるプロセッサデバイスと
を含み、前記プロセッサデバイスは、
写真撮影推奨要求をクライアントデバイスから受信することであって、前記要求は、写真撮影デバイスにより捕捉される物体の説明情報を含む、受信することと、
前記捕捉される物体の前記説明情報と、前記写真撮影テンプレートデータベース内の各写真撮影テンプレートに関連付けられた前記説明情報との照合動作を実行することと、
ターゲット写真撮影テンプレートが前記写真撮影テンプレートデータベース内で見つかるか否かを判断することであって、前記ターゲット写真撮影テンプレートに関連付けられた前記説明情報は、少なくとも部分的に、前記捕捉される物体の前記説明情報に一致する、判断することと、
ターゲット写真撮影テンプレートが見つかる場合、前記ターゲット写真撮影テンプレートを前記クライアントデバイスに送信することと
を行うように構成される、装置。
【発明の詳細な説明】
【技術分野】
【０００１】
関連出願の相互参照
本願は、２０１４年９月２日に出願された中国特許出願公開第２０１４１０４４３９８２．１号に対する優先権の利益を主張するものであり、この出願の全内容が参照により本明細書に援用される。
【０００２】
技術分野
本願は、ネットワークデータ処理技術の分野に関し、特に、写真撮影テンプレートデータベースを作成し、写真撮影推奨情報を提供する方法及び装置に関する。
【背景技術】
【０００３】
背景
電子商取引プラットフォームにおいて、ユーザは多くの場合、製品の写真をプラットフォームにアップロードする。例えば、購入者は、購入した製品の写真をアップロードし得る。別の例では、販売者は、販売する製品の写真をアップロードし得る。製品によっては、製品の特徴又は効果が製品のみの写真だけでは十分に実証されないものがある。むしろ、特徴又は効果は、そのような製品が特定の方法で表示される場合、よりよく実証されることがある。例えば、これらの製品が平面に配置されるアパレル、靴、及び帽子の写真は、それらの特定の特徴を明らかにするという点で最適ではないことがある。他方、それらの特徴は、アマチュア（例えば、通常、製品の販売者又は購入者）であれ、プロであれ、モデルにより装着された場合によりよく実証され得る。当然ながら、人々は、そのような製品を装着しながら良い写真を撮影することを望み、良い写真は製品の販売にとって利益となるであろう。そのような写真の品質は、製品を装着する人のポーズ、撮影角度等に大きく依存する。
【０００４】
しかし、実際には、製品購入後のフィードバック提供を望む、平均的な購入者等の大半のアマチュアのユーザは、良い写真を撮影するために必要なスキルを欠きがちであり、写真の品質を上げるために適切なポーズ、撮影角度等を理解していない。販売者にとって、大きい店の販売者は、プロのモデル又はプロの写真家を雇い、高品質な写真を撮影するコストを許容し得るが、大半の中規模〜小規模の店又は個人の販売者は、そのコストを許容できないことがある。したがって、販売者は大部分の購入者と同じ問題に直面し得る。
【発明の概要】
【課題を解決するための手段】
【０００５】
本願は、平均的なユーザが高品質の写真を撮影するように誘導する解決策を開示する。
【０００６】
概要
一態様では、本開示は、写真撮影テンプレートデータベースを作成する方法に関する。本方法は、事前設定される初期条件に基づいて画像を取得することを含み得る。本方法は、画像が少なくとも１つの適格ファクタを満たすか否かを判断することを含むこともできる。加えて、本方法は、画像が少なくとも１つの適格ファクタを満たすと判断される場合、画像を写真撮影テンプレートとして写真撮影テンプレートデータベースに記憶することを含み得る。本方法は、画像から取得される情報に基づいて説明情報を特定することを更に含み得る。本方法は、説明情報を写真撮影テンプレートデータベースに記憶することと、写真撮影テンプレートに説明情報を関連付けることとを更に含み得る。
【０００７】
別の態様では、本開示は、写真撮影推奨情報を提供する方法に関する。本方法は、複数の写真撮影テンプレートを記憶する写真撮影テンプレートデータベースを提供することを含み得る。各写真撮影テンプレートには、写真撮影テンプレートに含まれる１つ又は複数の形象の説明情報が関連付けられ得る。本方法は、写真撮影推奨要求をクライアントデバイスから受信することを含むこともできる。要求は、写真撮影デバイスにより捕捉される物体の説明情報を含み得る。本方法は、捕捉される物体の説明情報と、写真撮影テンプレートデータベース内の各写真撮影テンプレートに関連付けられた説明情報との照合動作を実行することを更に含み得る。加えて、本方法は、ターゲット写真撮影テンプレートが写真撮影テンプレートデータベース内で見つかるか否かを判断することを含み得る。ターゲット写真撮影テンプレートに関連付けられた説明情報は、少なくとも部分的に、捕捉される物体の説明情報に一致し得る。ターゲット写真撮影テンプレートが見つかる場合、本方法は、ターゲット写真撮影テンプレートをクライアントデバイスに送信することを含み得る。
【０００８】
更なる態様では、本開示は、写真撮影推奨情報を提供する方法に関する。本方法は、写真撮影デバイスにより捕捉される物体の説明情報を取得することを含み得る。本方法は、複数の写真撮影テンプレートを記憶するサーバに写真撮影推奨要求を送信することを含むことができる。要求は説明情報を含み得る。本方法は、写真撮影テンプレートをサーバから受信することを更に含み得る。写真撮影テンプレートには、写真撮影テンプレートに含まれる１つ又は複数の形象の説明情報が関連付けられ得る。写真撮影テンプレートに関連付けられた説明情報は、少なくとも部分的に、捕捉される物体の説明情報に一致し得る。加えて、本方法は、受信した写真撮影テンプレートに基づいて写真撮影推奨情報を提供することを含み得る。
【０００９】
更なる態様では、本開示は、写真撮影テンプレートデータベースを作成する装置に関する。本装置は、写真撮影テンプレートデータベースを記憶するメモリデバイスと、メモリデバイスに通信可能に結合されるプロセッサデバイスとを含み得る。プロセッサデバイスは、事前設定された初期条件に基づいて画像を取得するように構成され得る。プロセッサデバイスは、画像が少なくとも１つの適格ファクタを満たすか否かを判断するようにも構成され得る。加えて、プロセッサデバイスは、画像が少なくとも１つの適格ファクタを満たすと判断される場合、画像を写真撮影テンプレートとして写真撮影テンプレートデータベースに記憶するように構成され得る。プロセッサデバイスは、画像から取得される情報に基づいて説明情報を特定するようにされに構成され得る。プロセッサデバイスは、説明情報を写真撮影テンプレートデータベースに記憶し、写真撮影テンプレートに説明情報を関連付けるように更に構成され得る。
【００１０】
更なる態様では、本開示は、写真撮影推奨情報を提供する装置に関する。本装置は、複数の写真撮影テンプレートデータベースを記憶するメモリデバイスを含み得る。写真撮影テンプレートは、複数の写真撮影テンプレートを記憶し得る。各写真撮影テンプレートには、写真撮影テンプレートに含まれる１つ又は複数の形象の説明情報が関連付けられ得る。本装置は、メモリデバイスに通信可能に結合されるプロセッサデバイスを含むこともできる。プロセッサデバイスは、写真撮影推奨要求をクライアントデバイスから受信するように構成され得る。要求は、写真撮影デバイスにより捕捉される物体の説明情報を含み得る。プロセッサデバイスは、捕捉される物体の説明情報と、写真撮影テンプレートデータベース内の各写真撮影テンプレートに関連付けられた説明情報との照合動作を実行するようにも構成され得る。プロセッサデバイスは、ターゲット写真撮影テンプレートが写真撮影テンプレートデータベース内で見つかるか否かを判断するように更に構成され得る。ターゲット写真撮影テンプレートに関連付けられた説明情報は、少なくとも部分的に、捕捉される物体の説明情報に一致し得る。プロセッサデバイスは、ターゲット写真撮影テンプレートが見つかる場合、ターゲット写真撮影テンプレートをクライアントデバイスに送信するように構成され得る。
【００１１】
更なる態様では、本開示は、写真撮影推奨情報を提供する装置に関する。本装置は、メモリデバイスと、メモリデバイスに通信可能に結合されるプロセッサデバイスとを含み得る。プロセッサデバイスは、写真撮影デバイスにより捕捉される物体の説明情報を取得するように構成され得る。プロセッサデバイスは、複数の写真撮影テンプレートを記憶するサーバに写真撮影推奨要求を送信するようにも構成され得る。要求は説明情報を含み得る。プロセッサデバイスは、サーバから写真撮影テンプレートを受信するように更に構成され得る。写真撮影テンプレートには、写真撮影テンプレートに含まれる１つ又は複数の形象の説明情報が関連付けられ得る。写真撮影テンプレートに関連付けられた説明情報は、少なくとも部分的に、捕捉される物体の説明情報に一致し得る。プロセッサデバイスは、受信した写真撮影テンプレートに基づいて写真撮影推奨情報を提供するように更に構成され得る。
【００１２】
更なる態様では、本開示は装置に関する。本装置は、写真撮影デバイスと、メモリデバイスと、写真撮影デバイス及びメモリデバイスに通信可能に結合されるプロセッサデバイスとを含み得る。プロセッサデバイスは、物体の写真を撮影する要求を受信し、物体の説明情報を取得するように構成され得る。プロセッサデバイスは、複数の写真撮影テンプレートを記憶するサーバに写真撮影推奨要求を送信するようにも構成され得る。要求は説明情報を含み得る。プロセッサデバイスは、写真撮影テンプレートをサーバから受信するように更に構成され得る。写真撮影テンプレートには、写真撮影テンプレートに含まれる１つ又は複数の形象の説明情報が関連付けられ得る。写真撮影テンプレートに関連付けられた説明情報は、少なくとも部分的に、捕捉される物体の記述情報に一致し得る。加えて、プロセッサデバイスは、受信した写真撮影テンプレートに基づいて写真撮影推奨情報を提供し、写真撮影推奨情報に基づいて写真撮影デバイスを制御して、物体の写真を撮影するように構成され得る。
【００１３】
本開示の追加の目的及び利点が、部分的に以下の詳細な説明に記載されるか、部分的に説明から明らかになるか、又は本開示の実施により学習され得る。本開示の目的及び利点は、添付の特許請求の範囲において特に指摘される要素及び組合せにより認識及び取得される。
【００１４】
上記の概要及び以下の詳細な説明が例示であり、単なる説明を目的としており、請求項に記載される本発明の限定ではないことを理解されたい。
【００１５】
図面の簡単な説明
添付図面は、本明細書の一部をなし、幾つかの実施形態を示し、説明と一緒に開示される原理を説明する役割を果たす。
【図面の簡単な説明】
【００１６】
【図１】本願の幾つかの実施形態による例示的な写真撮影テンプレートデータベース作成方法のフローチャートである。
【図２】本願の幾つかの実施形態による例示的な写真撮影テンプレートを示す。
【図３】本願の幾つかの実施形態による例示的な外形曲線を示す。
【図４】本願の幾つかの実施形態による別の例示的な外形曲線を示す。
【図５】本願の幾つかの実施形態による写真撮影推奨情報を提供する例示的な方法のフローチャートである。
【図６】本願の幾つかの実施形態による写真撮影推奨情報を提供する別の例示的な方法のフローチャートである。
【図７】本願の幾つかの実施形態による写真撮影推奨情報を提供する別の例示的な方法のフローチャートである。
【図８】本願の幾つかの実施形態による別の例示的な装置の機能概略図である。
【図９】本願の幾つかの実施形態による別の例示的な装置の機能概略図である。
【図１０】本願の幾つかの実施形態による別の例示的な装置の機能概略図である。
【図１１】本願の幾つかの実施形態による別の例示的な装置の機能概略図である。
【発明を実施するための形態】
【００１７】
詳細な説明
これより、本発明の例示的な実施形態が詳細に参照され、例示的な実施形態の例が添付図面に示される。適切な場合、同じ参照番号は、図面全体を通して同じ又は同様の部分を指すために使用される。
【００１８】
本願の幾つかの実施形態では、高品質の写真を撮影するようにユーザを効率的に誘導するために、写真撮影テンプレートデータベースを提供し得る。テンプレート写真はデータベースに記憶され得る。テンプレート写真は、テンプレートに示される人物の形象に関する情報と、人物により装着された服、靴、帽子等に関する情報とを含み得る。このようにして、ユーザが写真を撮影する必要がある場合、ユーザは写真撮影テンプレートを選択し得るか、又は写真撮影推奨システムが写真撮影テンプレートを推奨し得る。次に、ユーザは、人物の形象のポーズ及び／又はテンプレートに示される撮影角度を参照することにより、写真を撮影し得る。
【００１９】
様々な方法を使用して、写真撮影テンプレートデータベースを作成し得る。例えば、幾つかの比較的良好な写真を事前に手動で収集し、次に、テンプレートデータベースに記憶し得る。しかし、電子商取引プラットフォーム上で写真撮影テンプレートデータベースを手動で作成することは、プラットフォームで販売されている商品物体が多数であるため、現実的ではないことがある。手動で選択される写真撮影テンプレートは、プラットフォーム上の広範囲の商品物体を網羅するには制限されすぎていることがある。本明細書で使用される場合、商品物体は、電子商取引プラットフォーム上で販売されているか、又は販売に提供されている製品、製品の部分、又は製品の組合せを指し得る。購入者の注意を引くために、商品物体は通常、写真に示される。特定の商品物体又は同様の商品物体の販売者の数が増えるほど、これらの商品物体の写真は全て同じに見え得、例えば、同様に表示され、同じモデルにより装着され、又は同様の撮影角度で捕捉され得る。購入者は、これらの写真から異なる販売者又は商品物体を区別することができないことがある。加えて、写真は、商品物体の特徴を完全に示すことができず、目の疲れに繋がりがちであり得る。更に、様々な特徴を有する商品物体では、多くの場合、特別な体勢（posture）及び／又は角度を通して特徴を強調する必要があり得る。
【００２０】
上記に鑑みて、本願は、電子商取引プラットフォーム上の多数の画像に基づいて自動的に作成することができる写真撮影テンプレートデータベースを開示する。データベース内のテンプレートは、ユーザの写真撮影要求に応答して推奨情報を提供するのに使用され得る。
【００２１】
図１は、例示的な写真撮影テンプレートデータベース作成方法１００のフローチャートである。方法１００は、複数のステップを含み得、幾つかのステップは任意選択的であり得る。方法１００は、コンピュータのプロセッサデバイスにより実施され得る。例えば、プロセッサデバイスは、各ステップに記載される様々な機能を実行するソフトウェア命令を実行し得る。
【００２２】
ステップＳ１０１において、画像が、事前設定される初期条件に基づいて取得され得る。例えば、事前設定される初期条件は、画像が人物又は人物のボディパーツの形象（figure）を含むことであり得る。画像がそのような形象を含む場合、その画像を取得し得る。
【００２３】
事前設定される初期条件を満たすそのような画像を取得する様々なタイミングが存在し得る。幾つかの実施形態では、プログラムは、電子商取引プラットフォームのデータベース内の商品物体の画像を自動的に検索し得、データベースは通常、商品物体に関する情報をリリースするときに販売者によって提出される商品物体の画像を含む。例えば、衣服カテゴリの商品物体の場合、販売者により提出される画像は、人物、例えば、モデルの形象を含むことが多い。形象は、モデル（通常、販売者自身）の全身ポートレート又はモデルの人物のボディパーツ（例えば、体半分の形象、横顔、又は正面ポートレート）であり得、特定のポーズを有し得る。これらの画像は、写真撮影テンプレートとして使用され得る。当然ながら、全ての商品物体をモデルを通して表示する必要があるわけではない。一般に、衣服、靴、帽子、及びアクセサリー（例えば、ネックレス、ブレスレット、イヤリング、ベルト等）などの人体に直接身に付けられる商品物体のみが、人物の形象を通して表示するのに適し得る。これらのタイプの画像の検索は、衣服、靴、帽子、及びアクセサリーに関連付けられたカテゴリで行うことができ、それにより、検索範囲を低減し、計算リソースを節減する。
【００２４】
幾つかの実施形態では、画像の取得は、販売者が商品リリース要求を提出した場合に実行され得る。例えば、販売者は、商品物体の情報を電子商取引プラットフォームに提出する場合、商品物体の詳細な説明情報も提出し得る。衣服、靴、帽子、及びアクセサリーのカテゴリの商品物体の場合、販売者は、モデルの形象を含む画像を提供し、モデルにより装着されている間、商品物体の効果を表示し得る。したがって、そのような画像は、事前設定される初期条件を満たし得、そのような製品リリース要求を受信すると達成され得る。幾つかの実施形態では、商品物体リリース要求を販売者から受信すると、商品物体のカテゴリ情報が決定され得る。次に、商品物体が衣服、靴、帽子、及びアクセサリーのカテゴリに属する場合、事前設定される初期条件を満たす画像をリリース情報から取得し得る。
【００２５】
加えて、ポータルを提供して、購入者又は販売者がクライアントデバイスを介して画像を電子諸取引プラットフォームに提供しアップロードできるようにし得る。ユーザは、写真撮影テンプレートとして使用されるのに適する画像を見つけた場合、ポータルを介して画像をサーバにアップロードし得る。画像は、このようにして取得され得る。
【００２６】
ステップＳ１０２において、プロセッサデバイスは、画像が、写真撮影テンプレートとして適格であるために、少なくとも１つの適格ファクタを満たすか否かを判断し得る。
【００２７】
ステップＳ１０１において適用される初期条件は、比較的予備的なものであり得る。例えば、画像は、人物及び人物のボディパーツの形象を含む限り、初期条件を満たすものとして見なし得る。しかし、初期条件を満たしている画像が必ずしも写真撮影テンプレートとして使用されるわけではない。したがって、ステップＳ１０２が、更なる適格ファクタを適用して、画像が写真撮影テンプレートとして適格であるか否かを判断し得る。換言すれば、初期条件を満たす画像は、ステップＳ１０２において更にスクリーニングされて、適格な写真撮影テンプレートを取得することができる。
【００２８】
幾つかの実施形態では、適格ファクタは予め決定され得る。例えば、これらのファクタは、画像背景（例えば、背景にノイズがないかどうか又は背景が一色を含むか否か）、人物又はボディパーツの形象の画像輪郭又は外形（例えば、輪郭／外形がクリアであり、周囲のエリアから区別可能であるか否か）、画像での形象の位置（例えば、形象が画像の中央に位置するか否か）、画像に対する形象のスケール（例えば、スケールが画像全体に対して適切であるか否か）等のうちの１つ又は複数の評価を含み得る。このようにして、ステップＳ１０１において取得される画像は、これらの適格ファクタを使用して更に分析して、任意の画像が写真撮影テンプレートとして適格であるか否かを判断し得る。
【００２９】
幾つかの実施形態では、指定の写真撮影テンプレートを提供するポータルを提供し得る。例えば、販売者が商品物体リリース要求を提出する場合、１つ又は複数の画像を同時に提出し得る。これらの画像のうちの１つ又は複数の画像を商品物体に対応する写真撮影テンプレートとして指定し得る。サーバがリリース要求を販売者から受信する場合、ユーザにより写真撮影テンプレートとして指定された画像は、画像が写真撮影テンプレートとして適格であることを示すマークを有し得る（例えば、画像のデータヘッド等のメタデータで伝達されるキーワード）。これらのマークは、各取得画像が写真撮影テンプレートとして適格であるか否かを判断する際に適格ファクタとして使用され得る。
【００３０】
ステップＳ１０３において、１つ又は複数の取得画像が少なくとも１つの適格ファクタを満たし、したがって、写真撮影テンプレートとして適格であるとプロセッサデバイスが判断した後、これらの画像は、写真撮影テンプレートとして写真撮影テンプレートデータベースに記憶され得る。ステップＳ１０４において、プロセッサデバイスは、画像から取得された情報に基づいて説明情報を特定し得る。例えば、説明情報は、写真撮影テンプレートとして適格な画像に表示されている物体に関連する情報に基づいて特定され得る。
【００３１】
幾つかの実施形態では、画像／写真撮影テンプレートを取得することができる多数のソースがあるため、結果として生成される写真撮影テンプレートデータベースは巨大なサイズになり得る。そのような状況では、ユーザが写真撮影テンプレートを要求する場合、データベース内の全ての写真撮影テンプレートを返すことが適切ではないことがある。返されるテンプレート数を低減し、ユーザの特定のニーズによりよく応えるために、説明情報を使用し得る。そのような説明情報は、写真撮影テンプレートに表示される物体を説明する情報を含み得、写真撮影テンプレートと共にデータベースに保存され得る。説明情報は、テンプレートスクリーニングに使用され得る。ユーザがテンプレートを要求する場合、幾つかの特定のパラメータをサーバに送信される要求に含め得る。これらのパラメータは、撮影される物体の説明情報を含み得る。要求を受信すると、サーバは、要求において伝達される説明情報と、各写真撮影テンプレートに対応する説明情報との照合動作を自動的に実行し得る。ターゲット写真撮影が見つかる（例えば、テンプレートに対応する説明情報が、要求において伝達される説明情報に一致又は部分的に一致する）場合、サーバは、ターゲット写真撮影テンプレートをユーザに（例えば、ユーザのクライアントデバイスに）返し得る。
【００３２】
写真撮影テンプレートに表示される物体は、商品物体及び／又は人物若しくは人物のボディパーツの形象を含み得る。したがって、表示された物体の説明情報は、表示された商品物体の説明情報及び／又は表示された形象の説明情報も参照し得る。写真撮影テンプレートに表示される物体の説明情報及び他の内容を取得する例示的な方法について、ステップＳ１０４を参照してより詳細に以下に説明する。
【００３３】
ステップＳ１０４において、プロセッサデバイスは、取得された画像から得られる情報に基づいて説明情報を特定し得る。ステップＳ１０５において、プロセッサデバイスは、写真撮影テンプレートに説明情報を関連付け、説明情報をデータベースに記憶し得る。
【００３４】
画像が適格ファクタを満たし、写真撮影テンプレートとして適格であると判断され、それに関連付けられた説明情報が特定されると、画像は、写真撮影テンプレートとして写真撮影テンプレートデータベースに保存され得、写真撮影テンプレートと説明情報との対応する関係もデータベースに記憶され得る。写真撮影テンプレートを取得する要求が受信される場合、要求において伝達されるパラメータ（例えば、撮影される物体の説明情報を含む）と、データベース内の各テンプレートの説明情報との照合動作を実行し得る。一致した写真撮影テンプレートは、推奨情報の提供に使用され得る。
【００３５】
写真撮影テンプレートの説明情報は、多くの方法で特定され得る。加えて、テンプレート及びその対応する説明情報を関連付ける対応する関係は、多くの種類があり得る。説明情報を特定する例示的な方法についてより詳細に以下に説明する。
【００３６】
幾つかの実施形態では、写真撮影テンプレートの説明情報は、画像に表示される商品物体の説明情報を通して表現され得る。例えば、クライアントからテンプレートを取得する要求を受信すると、要求において伝達されるパラメータが、撮影される商品物体の説明情報を含む場合、いずれのテンプレートが説明情報に一致する説明情報を有するかを判断することができ、次に、一致するテンプレートをクライアントに返し得る。
【００３７】
画像に表示される商品物体の説明情報は、様々な種類のものであることもできる。例えば、電子商取引プラットフォームは通常、ＩＤを各商品物体に割り当てる。したがって、ＩＤは、商品物体の説明情報として使用され得る。この場合、特定のテンプレートは、商品物体に対して対応する関係を有し得る。そのような対応する関係は、１対１、すなわち、１つの商品物体が１つのテンプレートに対応してもよく、又は１対多、すなわち、１つの商品物体が複数のテンプレートに対応してもよい。
【００３８】
例えば、１対１関係の場合、データベースに記憶されるデータは、表１に示されるように編成され得る。
【００３９】
【表１】
2017533606.tif 000003
【００４０】
テンプレートデータは、テンプレート画像を表示するデータを指し得る。クライアントが、テンプレートを取得する要求を送信する場合、要求は、撮影される商品物体のＩＤを伝達し得る。サーバは、要求を受信すると、表１に示されるデータベース内で、ＩＤに対応するテンプレートを検索し得る。ＩＤが見つけられる場合、サーバは、ＩＤに対応するテンプレートがターゲットテンプレートであると判断し、次に、ターゲットテンプレートを返し得る。１対多状況では、１つの商品物体ＩＤが複数のテンプレートに対応し、複数のテンプレートは全てクライアントに提供されて、ユーザがターゲットテンプレートとして１つを選べるようにすることができる。
【００４１】
別の例では、電子商取引プラットフォームは通常、商品物体が属するカテゴリに関する情報を提供し得る。カテゴリの分類は、階層関係を更に有し得、例えば、バッグ商品カテゴリは多くのサブカテゴリに分類され得る。例えば、衣服のカテゴリは、女性の衣服、男性の衣服、子供の衣服等に分類され得る。女性の衣服のカテゴリは、ワンピースドレス、ショートスリーブ、パンツ、コート、ダウンジャケット等の幾つかのサブカテゴリを更に含み得る。機能に従って分類された上記カテゴリに加えて、カテゴリ分類は、ファッション、スタイル、材料等に従って行い得る。写真撮影中、同じカテゴリ内の商品物体の写真は、異なるカテゴリ内の商品物体の写真よりも参照として高い価値を有し得る。したがって、商品物体が属するカテゴリは、写真撮影テンプレートの説明情報として使用することもできる。
【００４２】
カテゴリ情報を含むテンプレートデータベースは、表２に示される構造を有し得る。
【００４３】
【表２】
2017533606.tif 000004
【００４４】
クライアントがテンプレートを取得する必要がある場合、サーバに送信される要求は、撮影される商品物体のカテゴリに関する情報を伝達し得る。サーバは、要求を受信すると、要求からカテゴリ情報を抽出し、次に、それを表２中の各テンプレートに対応するカテゴリ情報と照合する。一致したカテゴリに対応するテンプレートは、推奨されるテンプレートとしてクライアントに返され得る。
【００４５】
更なる例では、同じ販売者により販売されている商品物体は、ファッション及び他の側面に関して幾つかの類似性を有することが多い。例えば、衣服ブランドフラッグシップ店のアパレルは通常、デザイン及びファッションスタイルにおいて互いと類似する。したがって、同じ販売者で販売される商品物体の画像は、写真撮影参照として比較的高い価値を有することもできる。そのような情報を利用するために、商品物体の販売者の識別情報は、写真撮影テンプレートの説明情報として使用することもできる。テンプレートが続けて検索される場合、販売者の識別情報は、要求で伝達されるパラメータの照合に使用され得る。販売情報を含むテンプレートデータベースは、表３に示される構造を有し得る。
【００４６】
【表３】
2017533606.tif 000005
【００４７】
クライアントがテンプレートを取得する必要がある場合、サーバに送信される要求は、撮影される商品物体の販売者の識別情報を伝達し得る。サーバは、要求を受信すると、販売者のＩＤ、アカウント番号、及び／又は他のデータに従って一致するテンプレートを返し得る。
【００４８】
画像が電子商取引プラットフォームデータベース内のアクティブ検索により取得される場合、これらの画像は、リリースされた商品物体に対応する画像であり得る。次に、テンプレートデータベースは、画像と一緒に商品物体の説明情報（例えば、販売者のＩＤ、カテゴリ、識別情報等）を保存し得る。画像がユーザのユーザによるアップロードにより取得される場合、ユーザにより提出された情報から、商品物体の説明情報を取得し得る。ユーザが販売者である場合、販売者は、商品ＩＤが依然として利用できない場合（例えば、リリース作業の実際の実行前は、商品ＩＤが商品物体に割り当てられない）、商品物体のリリースプロセス中に画像を提出し得る。この場合、商品物体の説明情報は、販売者により提出される情報（例えば、商品物体の名称又は紹介文）を通して取得され得る。プラットフォームがＩＤを商品物体に割り当て、商品物体を特定のカテゴリに分類する場合、説明情報を更新し得る。
【００４９】
上記説明では、取得された画像に表示される商品物体の説明情報は、取得された画像がテンプレートとして適格である場合、対応する写真撮影テンプレートの説明情報として使用される。幾つかの実施形態では、テンプレートとして適格な画像は、商品物体に加えて人物又は人物のボディパーツの形象を含むこともできる。例えば、撮影されるモデルが、ボディサイズ及び他の側面に関して、テンプレートの形象と同様である場合、モデルが形象と同様のポーズを取り、写真が同様の撮影角度を使用して撮影される場合、良好な写真を取得し得る。換言すれば、テンプレートは、テンプレートと同様の写真を撮影するようにユーザに指示するガイドとして機能し得る。この場合、テンプレート内の形象の説明情報（例えば、性別、身長、体重等）も取得して、写真撮影テンプレートの説明情報として使用し得る。そのような説明情報は、テンプレート照合に使用され得る。そのような情報を含むテンプレートデータベースは、表４に示されるように構造化され得る。
【００５０】
【表４】
2017533606.tif 000006
【００５１】
クライアントがテンプレートを取得する必要がある場合、サーバに送信される要求は、撮影される人物（例えば、モデル）の説明情報を伝達し得る。サーバは、要求を受信すると、性別、身長、体重等の人物の形象に関連付けられた情報に従って、一致するテンプレートを検索し得る。加えて、ボディサイズデータは通常、数値で表されるため、ボディサイズの点でのモデルとテンプレート中の形象との一致又は類似の程度は、例えば、ベクトル間の距離を計算することにより取得され得る（例えば、数値であるボディデータサイズをベクトルとして表現され得、２つのベクトル間の類似性は、２つのベクトル間の距離に基づいて計算され得る）。
【００５２】
テンプレート内の形象の説明情報は、商品物体のリリース中に販売者により提出される画像又は写真撮影テンプレートを提供するために任意のユーザにより提出される画像等、画像提出時にユーザにより提供され得る。電子商取引プラットフォームでの検索により画像が自動的に見つけられる場合、形象の説明情報は、商品物体の情報から取得され得る。これは、商品物体をリリースしている間、販売者により元々アップロードされ得、販売者は恐らく、例えば、購入者の参照のために、画像内のモデルのボディデータサイズを提出することもできる。したがって、プラットフォームのデータベースは、ボディサイズデータを記録し得る。人物の形象を有する画像が、検索によりプラットフォームデータベースから取得される場合、形象のボディサイズデータは、対応する写真撮影テンプレートの説明情報として、プラットフォームのデータベースから取得され得る。
【００５３】
上記説明では、写真撮影テンプレートの幾つかの形態の説明情報が開示され、対応するテンプレートデータベースの例示的なデータ記憶方法が提供される。幾つかの実施形態では、写真撮影テンプレートの説明情報として、２つ以上のタイプの情報を組み合わせ得る。更に、同じテンプレートデータベース内の異なるテンプレートは、異なる側面での説明情報を含み得る。例えば、あるテンプレートは、商品物体の説明情報を含み得る。別のテンプレートは、商品の説明情報及び人物のボディサイズデータの両方を含み得る。説明情報が複数の側面を含む場合、照合動作中、これらの側面の任意の組合せを使用し得る。例えば、異なる側面は、「ＡＮＤ」論理を使用して組み合わせ得る。この場合、一致したテンプレートは、ＡＮＤ論理により結合された両側面が要求内の情報と一致する場合のみ見つけられる。代替又は追加として、「ＯＲ」論理を使用して異なる側面を組み合わせ得る。この場合、側面のうちの任意の１つが要求内の情報に一致するとき、一致するテンプレートが見つけられる。
【００５４】
まとめると、画像のソースは、テンプレートの作成に豊富であることができ、写真撮影時に多くの側面でユーザの需要を満たすための確固としたデータ根拠を提供する。更に、照合動作は、ユーザの需要に従って各テンプレートの説明情報を使用して自動的に実行され得、一致又は部分的に一致したテンプレートを返すことができる。
【００５５】
加えて、写真撮影テンプレート内の形象の特徴を強調するために、形象のボディ外形曲線をテンプレートから識別又は抽出し得る。外形曲線は、テンプレートがテンプレートデータベースに記憶されるときに識別され得る。外形曲線はテンプレートデータベースに記憶することもできる。外形曲線は、テンプレート内の特徴に従ってポートレートされる曲線であり得る。例えば、図２に示される写真撮影テンプレートでは、形象のボディ外形曲線は、図３に示されるように識別され得る。
【００５６】
幾つかの実施形態では、テンプレート画像及び対応する説明情報がテンプレートデータベースに記憶される場合、形象の外形曲線を識別し得る。次に、外形曲線の位置情報を特定し、テンプレートデータベースに記憶し得る。データベース内のテンプレートデータの例示的な記憶構造を表５に示す（商品物体の説明情報が検索条件として使用されると仮定する）。
【００５７】
【表５】
2017533606.tif 000007
【００５８】
ボディ外形曲線の情報をテンプレートデータベースに記憶するために、多くの方法を使用し得る。例えば、ボディ外形曲線が識別され抽出されると、曲線上の各ピクセルの座標を特定し得、これらの座標を使用して、曲線を記述又は表現し得る。代替又は追加として、曲線は、関数、ベクトル等により記述又は表現され得る。
【００５９】
このようにして、ユーザが参照としてテンプレート画像の１つを選ぶと、選択動作により、写真撮影デバイスをアクティブ化させて、ライブ画像を捕捉し得る。ライブ画像は、スマートフォン等の端末デバイスのインタフェースに表示され得る。位置情報に基づき、ライブ画像に重ねられた推奨外形曲線を表示し得る。例えば、捕捉されたライブ画像のトップレイヤ上に画像レイヤを作成し得る。画像レイヤ上に、表５に記載される曲線をカラー（例えば、ブラック）で示し得、その間、他の部分は透明であり得る。このようにして、ユーザは、写真画像のトップレイヤ上にボディ外形曲線を見ることができ、その間、他の画像内容は遮蔽されない。ユーザは、自らのポーズがインタフェースに示されているボディ外形曲線に適合することを観測するまで、自らのポーズを連続して変えることにより、インタフェースに示されているボディ外形曲線に一致させ得る。インタフェースは、ユーザが、良好な写真撮影効果を達成することが可能であり得るテンプレート内の形象と同じ又は同様のポーズを有することを示す。
【００６０】
加えて、写真撮影プロセス中、各ボディパーツの位置をよりよく特定するために、形象のボディ外形曲線が画像のトップレイヤに示されるとき、ボディパーツの指示をボディ外形曲線上にマークし得る。例えば、図４に示されるように、顔の上部、左肩、胸部、ヒップトップ、右手等を外形曲線の適切な位置の近傍にマークし得、調整をより直観的に行えるようにユーザを誘導することができる。異なるテンプレートでは、異なるボディパーツをマークし得る。幾つかの実施形態では、各テンプレート画像内の形象のボディパーツの位置を分析し、テンプレートデータベースに記憶し得る。この場合、ボディ外形曲線の情報を記憶することに加えて、データベースは、１つ又は複数のボディパーツの指示及び対応する座標を記憶することもできる。例えば、例示的な記憶構造を表６に示す（商品物体の説明情報が検索条件として使用されると仮定する）。
【００６１】
【表６】
2017533606.tif 000008
【００６２】
このようにして、ボディ外形曲線を表示する際、ユーザは、曲線上の対応する位置にマークされたボディパーツの指示を読むことができる。ユーザは、指示に従って各ボディパーツを動かす方法又は配置の方法を直観的に判断し得、指示は、テンプレート内のモデルのポーズをユーザが模倣するのに役立つことができる。
【００６３】
上記説明は、テンプレートデータベースを作成する方法を開示する。テンプレートデータベースは、作成された後、様々な用途状況で、クライアント端末による問い合わせに対して提供され得る。一用途では、購入者は、購入された商品物体の評価情報を提供し得、商品物体の写真をアップロードし得る。例えば、商品物体がアパレル、靴、帽子等である場合、購入者は、商品物体を試着した後、例えば、商品物体を装着した状態で写真を撮影することを望み得る。写真は、評価情報の一部としてサーバに提出され得、他の購入者による参照に使用され得る。本明細書に開示されるテンプレートデータベースは、ポーズ又は撮影角度等の推奨情報を提供して、購入者が良好な写真を撮影するのを支援するのに使用され得る。
【００６４】
別の用途は、販売者に関わり得る。販売者は、衣服、靴、帽子、アクセサリー等の商品物体の情報をリリースする際、通常、特徴又は効果を示すために、モデルにより装着されたこれらの商品物体の写真を提供し得る。本明細書に開示されるテンプレートデータベースを使用して、写真撮影テンプレートを販売者に提供して、販売者が、商品物体の特徴又は効果をよりよく表示することができる商品物体の写真を撮影するのを補助し得る。
【００６５】
図５は、写真撮影推奨情報を提供する例示的な方法５００のフローチャートである。方法５００は、サーバにより実施され得る。サーバは、テンプレートデータベースをメモリデバイスに記憶し得る。複数の写真撮影テンプレート及びそれに関連付けられた説明情報をテンプレートデータベースに記憶し得る。写真撮影テンプレートの説明情報には、写真撮影テンプレート内の１つ又は複数の物体の情報を関連付け得る。方法５００は幾つかのステップを含み得、そのうちの幾つかは任意選択的であり得る。
【００６６】
ステップＳ５０１において、サーバは、写真撮影推奨要求をクライアントデバイスから受信し得る。要求は、写真撮影デバイスにより捕捉する物体の説明情報を含み得る。
【００６７】
捕捉される物体は、撮影される商品物体及び／又は撮影される人物又は人物のボディパーツを含み得る。物体の説明情報は、商品物体の説明情報及び／又は人物又は人物のボディパーツの説明情報を含み得る。商品物体の説明情報は、商品物体ＩＤ、カテゴリ、スタイル／ファッション／材料、商品物体の販売者の識別情報を含み得る。人物又は人物のボディパーツの説明情報は、性別情報と、撮影される人物の身長及び体重等のボディサイズデータとを含み得る。幾つかの実施形態では、要求は、上で開示された１つ又は複数のタイプの説明情報を伝達し得る。
【００６８】
ステップＳ５０２において、サーバは、撮影される物体の説明情報と、テンプレートデータベース内の各写真撮影テンプレートに関連付けられた説明情報との照合動作を実行し得る。
【００６９】
撮影される物体の説明情報が取得される場合、撮影される物体の説明情報を使用して、各写真撮影テンプレートに関連付けられた説明を照合し得る。照合動作は、撮影される人物の性別及びボディサイズデータ、表示される商品物体のカテゴリ等の商品物体の説明情報、又はそれらの組合せに従って実行され得る。人物又は人物のボディパーツの説明情報が複数のデータフィールドを含む場合、各データフィールドを使用して、データベース内の対応するデータフィールドを照合し得る。例えば、男性モデルのボディサイズデータは、身長、体重、肩幅、脚の長さ、及び胴囲等の複数のデータフィールドを含み得、これらのボディサイズデータはそれぞれ、テンプレートデータベースに記憶された対応するボディサイズデータとの照合に使用されて、撮影される人物のボディサイズに近い写真撮影テンプレートを選択し得る。幾つかの実施形態では、全てのボディサイズデータが照合に使用されるわけではない。撮影される人物のボディサイズデータに一致するターゲット写真撮影テンプレートを検索する際、撮影される人物のボディサイズデータのそれぞれと、データベースに記憶されているボディサイズデータとの差を計算して、２つのデータ間の相対差又は類似度を取得し得る。ターゲット写真撮影テンプレートは、相対差が最小（又は類似度が最高）のものであり得る。幾つかの実施形態では、ターゲット写真撮影テンプレートは、事前設定される閾値未満の相対差を有するテンプレートであり得る。
【００７０】
ステップ５０３において、サーバは、ターゲット写真撮影テンプレートをクライアントデバイスに返し得、それにより、クライアントデバイスは、ターゲット写真撮影テンプレートに基づいて写真撮影推奨情報を提供し得る。
【００７１】
通常状況下でのステップＳ５０２及びＳ５０３の例示的な実装形態について、図１〜図４に関連して上述した。通常状況とは、要求において伝達される撮影される物体の説明情報に基づき、完全に一致したテンプレートをテンプレートデータベース内で見つけることができる場合を指す。例えば、要求は、撮影される商品物体のＩＤを伝達し得、厳密なＩＤに一致するテンプレートをテンプレートデータベース内で見つけることができる。しかし、実際には、厳密な一致が常にあるわけではない。例えば、要求は、撮影される商品物体のＩＤを伝達し得るが、厳密なＩＤを有するテンプレートをテンプレートデータベース内で見つけることができない。この場合、サーバは、他の測定値に基づいてテンプレートを提供し得る。例えば、販売者の識別情報は、商品物体のＩＤに従って特定され得る。販売者の識別情報に一致するターゲットテンプレートが、テンプレートデータベース内で見つけられ、クライアントデバイスに返され得る。他のタイプの部分一致方式を使用することもできる。まとめると、要求が、撮影される物体の第１の説明情報を伝達する場合、一致するテンプレートがテンプレートデータベース内で見つけられないとき、第１の説明情報に従って、撮影される物体の第２の説明情報を取得し得る。第２の説明情報に基づき、一致するテンプレートを求めてテンプレートデータベースを検索し得る。
【００７２】
テンプレートデータベースが、写真撮影テンプレートに含まれる人物の形象のボディ外形曲線に関する情報も記憶する場合、サーバは、そのような情報もクライアントデバイスに返し得る。このようにして、クライアントデバイスが写真撮影推奨情報を提供する場合、クライアントデバイスは、ボディ外形曲線に関する情報もユーザに提供し得る。
【００７３】
加えて、テンプレートデータベースが、写真撮影テンプレートに含まれる形象の１つ又は複数のボディパーツの指示及び座標も記憶する場合、サーバは、そのような情報もクライアントデバイスに返し得る。ボディ外形曲線を表示する場合、これらのボディパーツの指示も座標に従って曲線上の適切な位置に表示され得る。このようにして、ユーザは、各ボディパーツを配置する方法を直観的に判断し、テンプレート内の形象のポーズを模倣し得る。
【００７４】
図５は、サーバにより実施される写真撮影推奨情報を提供する方法５００を開示する。図６は、クライアントデバイスにより実施される写真撮影推奨情報を提供する方法６００を示す。
【００７５】
ステップＳ６０１において、クライアントデバイスは、撮影される物体の説明情報を取得し得る。
【００７６】
幾つかの実施形態では、撮影される物体は、撮影される商品物体及び／又は商品物体を装着した人物を含み得る。商品物体の説明情報及び人物の説明情報は、一緒に又は別個に取得され得る。幾つかの実施形態では、１つのみのタイプの説明情報を取得し得る。
【００７７】
物体の説明情報は、写真撮影要求を開始したユーザにより提出され得る。例えば、ユーザが撮影される物体の説明情報をユーザインタフェースで提出するためのポータル（例えば、入力ボックス、選択ボックス、ボタン等）を提供し得る。写真撮影テンプレートを取得する要求が行われると、ユーザは、ポータルを介して、撮影される物体の説明情報を提出し得る。
【００７８】
幾つかの実施形態では、撮影される物体の説明情報の自動又は半自動取得を提供し得る。例えば、購入者は、購入した商品物体を示そうとする場合、評価プロセス中にそれを行い得る。幾つかの実施形態では、評価プロセスは、商品の受領を確認する動作中又は動作後であり得る。購入者は、モデル（例えば、ユーザ自身又は他の人物）が装着した商品物体の効果を示す写真をアップロードする必要があり得る。したがって、写真を提出する第１のポータル（例えば、ボタン等）は、商品物体の購入注文に関連付けられたインタフェース上でユーザに提供され得る。このようにして、ユーザにより提出される写真アップロード要求を受信すると、方法６００を実行し得る。更に、ＩＤ、カテゴリ、販売者の識別情報等を含む商品物体の様々な説明情報は、関連付けられた購入注文から取得され得、撮影される物体の説明情報として使用され得る。物体が人物又は人物のボディパーツを含む場合、人物の説明情報を取得する様々な方法を使用し得る。例えば、ユーザは、性別及びボディサイズデータ等の撮影される人物のデータを入力するように求められ得る。別の例では、撮影される人物が電子商取引プラットフォームに登録されたユーザである場合、撮影される人物の識別情報を提出し得る。人物についての情報は、登録情報又は評価履歴に基づいて自動的に取得され得る。例えば、ユーザは、過去に商品物体を評価していた場合、身長及び体重等のボディサイズ情報をプラットフォームに入力していた可能性があり、プラットフォームのデータベースにそのような情報が記憶されている可能性がある。したがって、ユーザのボディサイズ情報は、データベースに記憶された過去の評価データを通して取得され得る。したがって、人物の識別情報（例えば、ユーザＩＤ）が取得されると、サーバは、識別情報に従って、性別、身長、及び体重等のユーザ情報を自動的に取得し得る。写真アップロード要求を受信すると、写真及び購入注文の識別情報をサーバにアップロードし得る。このようにして、サーバは、商品物体の識別情報を購入注文から抽出し、商品物体の写真と識別情報との関係を記録し得る。情報は、商品物体の評価インタフェースに写真を表示するのに使用され得る。
【００７９】
販売者が、リリースされる商品物体の画像を提供する場合、説明情報を取得することもできる。例えば、商品物体情報リリースインタフェースに、写真を提出する第２のポータルを提供し得る。このようにして、商品物体の販売者による写真提出要求を受信すると、方法６００を実行し得る。商品物体についての情報は、第２のポータルを介して情報リリースインタフェースに入力されていた可能性がある。撮影される商品物体の説明情報は、商品物体情報リリースインタフェースに既に入力されている商品物体の説明情報から取得され得る。代替的には、撮影される商品物体の説明情報を提供するポータルを販売者に提供し得る。人物の説明情報も、購入者に関して上述した用途と同様に取得し得る。写真アップロード要求を受信すると、リリースされる商品物体の写真及び説明情報をサーバにアップロードし得る。このようにして、サーバは、商品物体の写真と識別情報との関係を記憶し得る。この情報は、商品物体の製品情報ページに写真を表示するのに使用され得る。
【００８０】
加えて、商品物体が既にリリースされていた場合、商品物体情報の編集インタフェースを販売者に提供し得る。編集インタフェースを通して、販売者は、リリースされた商品物体の写真及び他の情報を追加又は編集し得る。幾つかの実施形態では、リリースされた商品物体に関連付けられた情報編集インタフェースに、写真を提出する第３のポータルを提供し得る。このようにして、リリースされた商品物体の販売者による写真提出要求は、第３のポータルを介して受信され得、方法６００を実行し得る。リリースされた商品物体の説明情報は、サーバから取得され、撮影される商品物体の説明情報として使用され得る。代替的には、撮影される商品物体の説明情報を提供するポータルを販売者に提供し得る。人物の説明情報は、購入者に関して上述した用途と同様に取得され得る。写真アップロード要求を受信すると、リリースされた商品物体の写真及び識別情報をサーバにアップロードし得る。サーバは、商品物体の写真と識別情報との関係を記憶し得る。情報は、商品物体の製品情報ページに写真を表示するのに使用され得る。
【００８１】
ステップＳ６０２において、写真撮影推奨要求をサーバに送信し得る。要求は説明情報を含み得、それにより、サーバは、撮影される物体の説明情報と、テンプレートデータベース内の各写真撮影テンプレートの説明情報との照合動作を実行して、ターゲット写真撮影テンプレートを取得し得る。
【００８２】
ステップＳ６０３において、クライアントデバイスは、サーバにより返されたターゲット写真撮影テンプレートに基づいて写真撮影推奨情報を提供し得る。写真撮影テンプレートには、写真撮影テンプレートに含まれる１つ又は複数の形象の説明情報を関連付け得る。写真撮影テンプレートに関連付けられた説明情報は、撮影される物体の説明情報に少なくとも部分的に一致し得る。
【００８３】
１つ又は複数のターゲットテンプレートを取得すると、全ての適する写真撮影テンプレートをインタフェースにおいてユーザに表示し得、選択ポータル（例えば、ボタン等）をユーザに提供し得る。ユーザは所望のテンプレートを選択し得る。例えば、ユーザは、ショートスカートを試着しながら、自らの写真をアップロードしようとする場合、自らのボディサイズ及び衣服商品のカテゴリに従って、テンプレートのうちの１つを選択し得る。ターゲット写真撮影テンプレートは、ユーザの選択結果に従ってデータベースから選択され得る。
【００８４】
ターゲット写真撮影テンプレートが特定されると、クライアントデバイスは、写真撮影デバイス（例えば、ユーザの端末デバイスに備えられている）を自動的にアクティブ化し得る。ユーザの端末デバイスの画像インタフェースは、写真撮影デバイスにより捕捉されるライブ画像を表示し得る。幾つかの実施形態では、ターゲット写真撮影テンプレート内の人物の形象の外形曲線を画像インタフェースに表示し得る。外形曲線は、外形曲線の位置情報に基づき、ライブ画像に重ねられた推奨外形曲線として使用され得る。例えば、図２に示される写真撮影テンプレートの場合、図２に示される人物の例示的な外形曲線は、図３に示されるようなものであり得る（写真撮影デバイスにより捕捉されるライブ画像は図３に示されていない）。外形曲線は、画像のトップレイヤに表示され得る。このようにして、ユーザは曲線を見ることができるが、曲線のラインのみを見ることができる。ユーザは通常、曲線の領域内外のものを含め、写真撮影デバイスにより捕捉されるライブ画像を見ることができる。
【００８５】
外形曲線は、事前に識別されて抽出され、表５に示されるように、テンプレートデータベースに記憶され得る。外形曲線が表示されると、画像のトップレイヤ上に画像レイヤを作成し得る。画像レイヤ上に、表５の対応する曲線をカラー（例えば、ブラック）で表示し得、その間、他の部分は透明であり得る。このようにして、ユーザは、ライブ画像のトップレイヤ上の外形曲線を見ることができ、その間、ライブ画像の他の画像内容は遮蔽されない。
【００８６】
幾つかの実施形態では、テンプレートの外形曲線は、表示すべきときに抽出され得る。換言すれば、ターゲット写真撮影テンプレートが特定されており、写真撮影デバイスがアクティブ化されている場合、外形曲線はテンプレートから抽出され得る。
【００８７】
ユーザが端末デバイスの撮影角度を調節する場合、ライブ画像のトップレイヤに表示される外形曲線の座標は、端末デバイスの画面に対して変わらないままである。ユーザは、自らのポーズがインタフェースに示されている外形曲線に適合することを観測するまで、自らのポーズを連続して変えることにより、インタフェースに表示されている外形曲線に一致し得る。これは、ユーザが、テンプレート内の人物と同じであるか、又は少なくとも類似するポーズを有することを示す。
【００８８】
幾つかの実施形態では、端末デバイスでの写真撮影デバイスの位置は変わり得る。例えば、モバイルデバイスは、フロントカメラ及びリアカメラを有し得る。本明細書に開示される写真撮影デバイスは、フロントカメラ及びリアカメラの両方を含み得る。フロントカメラが使用される場合、ユーザは、自らを撮影し、自らを調整し得る。リアカメラが使用される場合、調整を行うように撮影されるユーザを誘導するために、別の人物が必要であり得る。例えば、調整は、ライブ画像のトップレイヤに表示される外形曲線に基づき得る。
【００８９】
幾つかの実施形態では、写真撮影プロセス中に各ボディパーツの位置をよりよく特定するために、１つ又は複数のボディパーツの指示は、外形曲線の対応する位置にマークされ得る。例えば、図４に示されるように、顔の上部、左肩、胸部、ヒップトップ、右手等の指示が示され、調整を行うように撮影されるユーザを直観的に誘導することができる。これらのボディパーツの位置情報は、表６に示されるように、テンプレートデータベースに事前に記憶され得る。
【００９０】
ユーザが写真撮影動作を実行する必要があると判断される場合、写真撮影デバイスは、写真を撮影し、サーバにアップロードし得る。購入者が、購入された商品物体を示す場合、サーバは、写真と、対応する購入注文に含まれる商品物体との対応する関係を保存し得る。販売者が商品物体に関する情報をリリースする場合、サーバは、写真を対応する商品物体の製品情報に追加して、製品情報ページに表示し得る。
【００９１】
幾つかの実施形態では、写真撮影テンプレートの検索は、写真撮影デバイスがアクティブ化された後に実行され得る。代替的には、写真撮影テンプレートの検索は、写真撮影デバイスがアクティブ化される前に実行され得る。
【００９２】
ユーザが撮影動作を実行する必要があるか否かを判断するために、様々な方法を使用し得る。例えば、ユーザは、ユーザが外形曲線に従って調整を終えた後、端末デバイスの撮影ボタンを手動で押下し得、それにより、ユーザが撮影動作を実行する必要があることを示す。これは、リアカメラが使用され、他の人物からの補助が利用可能な状況に適し得る。しかし、フロントカメラを用いて自らの写真を撮影する場合、ボタンを手動で押下することは、ユーザ自身が撮影ボタンを操作する必要があるとき、ポーズに影響し得る。したがって、撮影動作を実行する必要があるか否かをプロセッサデバイスが自動的に判断し得る自動方法を提供し得る。換言すれば、ユーザは、撮影ボタンを手動で操作する必要がない。むしろ、撮影動作を実行することができるか否かをプロセッサデバイスが判断し得る。
【００９３】
プロセッサデバイスは、撮影される物体における主要被写体を識別するように構成され得る。例えば、人物の形象が撮影視野内に現れる場合、処理デバイスは、人物を主要被写体であると自動的に識別することができる。幾つかの実施形態では、人物の形象は、事前に撮影される主要被写体として設定され得、形象の移動状態を識別し得る。ユーザによるポーズ調整プロセスにおいて、形象は移動状態になる。調整後、ユーザは通常、静止したままであり得る。したがって、プロセッサデバイスは、主要被写体が比較的静止した状態のままであることを識別することができる。主要被写体が、事前設定された時間期間にわたり静止状態のままである場合、プロセッサデバイスは、撮影動作を実行する必要があることを自動的に判断し得る。
【００９４】
別の例では、主要被写体の捕捉された外形曲線はリアルタイムで抽出され得、捕捉された被写体の外形曲線と、ターゲット写真撮影テンプレートの外形曲線との類似度をリアルタイムで特定し得る。２つの間の類似度が閾値に達する場合、これは、ユーザが比較的適するポーズを有したことを示し、プロセッサデバイスは、撮影動作を実行する必要があると判断し得る。この自動撮影動作は、リアカメラが使用され、他の人物からの補助が利用可能な状況に適し得る。例えば、撮影を補助する補助者は、撮影される人物が調整するのを補助し得、調整が終わったときに撮影動作を自動的にトリガーし得る。
【００９５】
まとめると、複数の写真撮影テンプレートを事前に設定し得る。写真を撮影する必要がある場合、ターゲット写真撮影テンプレートを特定することができ、次に、写真撮影デバイスをアクティブ化し得る。更に、捕捉されたライブ画像の上にテンプレートの外形曲線を表示し得る。ユーザは、曲線に従って自らのポーズを調整して、良好な写真撮影効果を達成し得る。良好な写真の撮影は、ユーザがより多くの写真をアップロードし、対応する商品物体が選択される場合、より多くのフィードバックを提供するように他のユーザを動機付け得る。
【００９６】
幾つかの実施形態では、一部のユーザは、写真アップロード時、他のユーザにユーザの実際の顔を見られることを望まない場合がある。したがって、顔エリアを遮蔽するポータルを提供し得る。ユーザは、生成された写真を手動で加工し、モザイクを顔エリアに作成し得る。代替的には、プロセッサデバイスは、写真の人物の顔エリアを自動的に識別し、顔エリアを遮蔽し、次に、加工された写真を保存し得る。自動顔エリア遮蔽の機能に関して、ユーザがその機能をアクティブ化するか否かを判断することができる選択肢をユーザに提供し得る。
【００９７】
写真撮影時、背景が衣服とかなり似た色を有する場合、結果として生成される写真は良好な見た目を有さないか、又は表示される商品の特徴が強調されないことがある。幾つかの実施形態では、主要被写体の主色及び生成される写真の背景の主色を識別し得、それら２つの類似度を計算し得る。主要被写体の主色と背景の主色との類似度が、事前設定される閾値に達する場合、背景の主色を置換し得る。置換後の背景の主色は、置換前の主色に従って決定され得る。例えば、置換前後の主色間の対応する関係は事前に設定され得る。置換が必要な場合、対応する関係を問い合わせて、背景の主色をいずれの色に置換するかを決定し得る。
【００９８】
図６は、写真撮影デバイスに対して補助的なデバイス（例えば、カメラ及び携帯電話等の端末デバイスに設置し得る、写真撮影デバイスに結合されるプロセッサデバイス）により実施することができる方法を開示する。図７は、写真撮影デバイスと統合されたデバイスにより実施することができる写真撮影推奨情報を提供する方法７００を示す。方法７００は方法６００と同様である（例えば、ステップＳ７０１、Ｓ７０２、及びＳ７０３はステップＳ６０１、Ｓ６０２、及びＳ６０３とそれぞれ同様である）が、方法７００はステップＳ７０４を含み得、このステップにおいて、プロセッサデバイスは、推奨情報に基づいて写真を撮影するように、統合された写真撮影デバイスを制御し得る。
【００９９】
写真撮影テンプレートデータベースを作成する方法１００に対応して、図８は、方法１００の機能を実施する例示的な装置８００の機能概略図を示す。装置８００は、画像取得ユニット８０１、初期条件決定ユニット８０２、写真撮影テンプレート特定ユニット８０３、説明情報特定ユニット８０４、及び記憶ユニット８０５を含み得る。
【０１００】
画像取得ユニット８０１は、図１〜図４に関連して上述したように、画像を取得するように構成され得る。
【０１０１】
初期条件決定ユニット８０２は、図１〜図４に関連して上述したように、画像が初期条件を満たすか否かを判断するように構成され得る。
【０１０２】
写真撮影テンプレート特定ユニット８０３は、図１〜図４に関連して上述したように、画像が少なくとも１つの適格ファクタを満たすか否かを判断するように構成され得る。
【０１０３】
説明情報特定ユニット８０４は、図１〜図４に関連して上述したように、画像から取得される情報に基づいて写真撮影テンプレートの説明情報を特定し、写真撮影テンプレートに説明情報を関連付けるように構成され得る。
【０１０４】
記憶ユニット８０５は、写真撮影テンプレート及びそれに関連付けられた説明情報を記憶するように構成され得る。
【０１０５】
写真撮影推奨情報を提供する方法５００に対応して、図９は、方法５００の機能を実施する例示的な装置９００の機能概略図を示す。装置９００は、要求受信ユニット９０１、照合ユニット９０２、及び送信ユニット９０３を含み得る。
【０１０６】
要求受信ユニット９０１は、図５に関連して上述したように、クライアントから、写真撮影推奨要求を受信するように構成され得る。
【０１０７】
照合ユニット９０２は、図５に関連して上述したように、撮影される物体の説明情報と、テンプレートデータベース内の各写真撮影テンプレートに関連付けられた説明情報との照合動作を実行し、ターゲット写真撮影テンプレートが見つけられるか否かを判断するように構成され得る。
【０１０８】
送信ユニット９０３は、図５に関連して上述したように、ターゲット写真撮影テンプレートをクライアントデバイスに送信するように構成され得る。
【０１０９】
写真撮影推奨情報を提供する方法６００に対応して、図１０は、方法６００の機能を実施する例示的な装置１０００の機能概略図を示す。装置１０００は、説明情報取得ユニット１００１、要求送信ユニット１００２、及び推奨提供ユニット１００３を含み得る。
【０１１０】
説明情報取得ユニット１００１は、図６に関連して上述したように、写真撮影デバイスにより捕捉される物体の説明情報を取得するように構成され得る。
【０１１１】
要求送信ユニット１００２は、図６に関連して上述したように、写真撮影推奨要求をサーバに送信するように構成され得る。
【０１１２】
推奨提供ユニット１００３は、図６に関連して上述したように、サーバにより返されたターゲット写真撮影テンプレートに基づいて写真撮影推奨情報を提供するように構成され得る。
【０１１３】
写真撮影推奨情報を提供する方法７００に対応して、図１１は、方法７００の機能を実施する例示的な装置１１００の機能概略図を示す。装置１１００は、説明情報取得ユニット１１０１、要求送信ユニット１１０２、推奨提供ユニット１１０３、及び写真撮影ユニット１１０４を含み得る。
【０１１４】
説明情報取得ユニット１１０１は、図６及び図７に関連して上述したように、写真撮影デバイスにより捕捉される物体の説明情報を取得するように構成され得る。
【０１１５】
要求送信ユニット１１０２は、図６及び図７に関連して上述したように、写真撮影推奨要求をサーバに送信するように構成され得る。
【０１１６】
推奨提供ユニット１１０３は、図６及び図７に関連して上述したように、サーバにより返されるターゲット写真撮影テンプレートに基づいて写真撮影推奨情報を提供するように構成され得る。
【０１１７】
写真撮影ユニット１１０４は、図６及び図７に関連して上述したように、写真撮影推奨情報に基づいて物体の写真を撮影するように構成され得る。
【０１１８】
本明細書は、写真撮影テンプレートデータベースを作成し、写真撮影推奨を提供する装置及び方法を記載した。示されたステップは、示された例示的な実施形態を説明するために記載され、進行中の技術開発が、特定の機能が実行される方法を変更することが予期されるべきである。したがって、これらの例は、限定ではなく例示を目的として本明細書に提示される。例えば、本明細書に開示されるステップ又はプロセスは、説明された順序での実行に限定されず、任意の順序で実行され得、幾つかのステップは、開示される実施形態に準拠して省略され得る。更に、機能構築ブロックの境界は、本明細書では、説明の便宜のために任意に定義されていた。指定された機能及びその関係が適宜実行される限り、代替の境界が定義可能である。本明細書に含まれる教示に基づき、代替形態（本明細書に記載されるものの均等物、拡張形態、変形形態、逸脱等を含む）が当業者に明らかになる。そのような代替形態は、開示される実施形態の範囲及び趣旨内に入る。
【０１１９】
開示される原理の例及び特徴が本明細書に記載されるが、変更形態、適合形態及び他の実装形態が、開示される実施形態の趣旨及び範囲から逸脱せずに可能である。また、「備える」、「有する」、「含む」、及び「含んでいる」、並びに他の同様の形態は、均等な意味であることが意図され、これらの語の任意の１つに続く１つ又は複数の項目が、そのような１つ又は複数の項目の網羅的な列挙であることは意図されない、すなわち、列挙された１つ又は複数の項目のみに限定されることが意図されないという点で、オープンエンドであることが意図される。本明細書及び添付の特許請求の範囲で使用される場合、単数形「１つの（a）」、「１つの（an）」、及び「その（the）」は、文脈により明らかに別段のことが示される場合を除き、複数形を含むことにも留意しなければならない。
【０１２０】
更に、１つ又は複数のコンピュータ可読記憶媒体が本開示に従って実施形態の実施に利用され得る。コンピュータ可読記憶媒体は、プロセッサ可読の情報又はデータを記憶し得る任意のタイプの物理的メモリを指す。したがって、コンピュータ可読記憶媒体は、本明細書に記載される実施形態によるステップ又は段階をプロセッサに実行させる命令を含め、１つ又は複数のプロセッサにより実行される命令を記憶し得る。「コンピュータ可読媒体」という用語は、有形物を含み、搬送波及び一時的な信号を除外する、すなわち、非一時的であるものとして理解されるべきである。例としては、ＲＡＭ、ＲＯＭ、揮発性メモリ、不揮発性メモリ、ハードドライブ、ＣＤ  ＲＯＭ、ＤＶＤ、フラッシュドライブ、ディスク、及び任意の他の既知の物理的記憶媒体が挙げられる。
【０１２１】
本開示及び例は単なる例示であることが意図され、開示される実施形態の真の範囲及び趣旨は以下の特許請求の範囲により示される。
【図１】
2017533606.tif 000009
【図２】
2017533606.tif 000010
【図３】
2017533606.tif 000011
【図４】
2017533606.tif 000012
【図５】
2017533606.tif 000013
【図６】
2017533606.tif 000014
【図７】
2017533606.tif 000015
【図８】
2017533606.tif 000016
【図９】
2017533606.tif 000017
【図１０】
2017533606.tif 000018
【図１１】
2017533606.tif 000019
【国際調査報告】
2017533606.tif 000020